(57)【要約】【課題】冷媒回路の凝縮器と蒸発器の間に配置され、かつ貫通チャンネルを備えたハウジングを含む、冷媒回路のためのアセンブリを提供する。【解決手段】本発明は、冷媒回路の凝縮器と蒸発器の間に配置され、かつ貫通チャンネルを備えたハウジングを含む、冷媒回路のためのアセンブリに関する。問題は、より少ない組立労力で冷媒回路内に設置することができるように単純化してコスト効率が良いように設計する方法で適切に設計された冷媒回路のためのアセンブリを提供することである。この問題は、機能的フィルタ／減圧単体として形成された微小チャンネル部（４）を貫通チャンネル（３、１４）内に存在させ、それにより微小チャンネル部（４）において通過する冷媒の濾過と減圧を同時に行うことができるという点で解決される。【選択図】図１
2006125833.tif 000002
【特許請求の範囲】
【請求項１】
冷媒回路の圧縮器と蒸発器の間に配置され、かつ貫通チャンネルを備えたハウジングを含む、冷媒回路のためのアセンブリであって、
貫通チャンネル（３、１４）内に機能的フィルタ／減圧ユニット体として設計された微小チャンネル部（４）が存在し、それにより該微小チャンネル部（４）において、通過する冷媒の濾過と減圧が同時に実行可能である、
ことを特徴とするアセンブリ。
【請求項２】
前記微小チャンネル部（４）は、微小チャンネル（５、５’）に存在する自由中間領域で異物（２４）を保持するための濾過特性と、テーパを付けた微小チャンネル（５’’）によって与えられる減圧特性とを備えることを特徴とする請求項１に記載のアセンブリ。
【請求項３】
前記微小チャンネル部（４）の減圧−濾過能力のために必要な通路容積は、該微小チャンネル部（４）の内部構成要素（２３、２８、５、５’、５’’）の大きさ、厚さ、及び寸法によって規定されることを特徴とする請求項１又は請求項２に記載のアセンブリ。
【請求項４】
微小チャンネル（５、５’、５’’）は、異なるチャンネルサイズｗを有し、それによって、流れの方向（１８）に、入口領域ではより大きなチャンネルサイズｗ１を有する微小チャンネル（５、５’）、及び出口領域ではより小さなチャンネルサイズｗ２を有する微小チャンネル（５’’）が設けられることを特徴とする請求項１から請求項３のいずれか１項に記載のアセンブリ。
【請求項５】
前記貫通チャンネル（３）は、入口側嵌合孔（９）及び第１の出口嵌合孔（７）である２つの嵌合孔（９、７）を有し、それによって該入口側嵌合孔（９）の内径は、好ましくは、前記圧縮器の挿入可能チューブ（１０）の外径に対応することを特徴とする請求項１から請求項４のいずれか１項に記載のアセンブリ。
【請求項６】
前記微小チャンネル部（４）は、第１の出口側嵌合孔（７）内の前記貫通チャンネル（３）のほぼ前記中央領域に配置されてネジ結合により外部から固定可能なリング状保持部（６）内に挿入されることを特徴とする請求項１から請求項５のいずれか１項に記載のアセンブリ。
【請求項７】
前記保持部（６）は、好ましくは、前記微小チャンネル部（４）がある外部からネジ込み可能な六角ソケットヘッドキャップネジとして設計され、それによって前記第１の出口側嵌合孔（７）には、ネジ山（８）が設けられ、該六角凹部（２０）は、冷媒が通過することができることを特徴とする請求項６に記載のアセンブリ。
【請求項８】
前記入口側嵌合孔（９）は、好ましくは前記差込みチューブ（１０）の外径に対応する内径を有することを特徴とする請求項１から請求項７のいずれか１項に記載のアセンブリ。
【請求項９】
前記第１の出口側嵌合孔（７）と前記入口側嵌合孔（９）の間に、前記貫通チャンネル（３）を狭めるリング状チャンネルスリーブ（１９）が、この装置の内側領域として存在し、それに対して前記微小チャンネル部（４）を有する前記保持部（６）を配置して固定することを特徴とする請求項１から請求項８のいずれか１項に記載のアセンブリ。
【請求項１０】
前記微小チャンネル部（４）を収納する前記保持部（６）は、互換的な保持部として設計されることを特徴とする請求項６から請求項９のいずれか１項に記載のアセンブリ。
【請求項１１】
前記差込みチューブ（１０）は、前記入口側嵌合孔（９）の端部領域で前記チャンネルスリーブ（１９）に対して配置されることを特徴とする請求項１から請求項１０のいずれか１項に記載のアセンブリ。
【請求項１２】
前記圧縮器からの前記チューブ（１０）は、半田付け又はろう付け結合により前記入口側嵌合孔（９）内に安定的に拘束されることを特徴とする請求項１から請求項１１のいずれか１項に記載のアセンブリ。
【請求項１３】
前記ハウジング（２）に対する前記蒸発器の結合部として、フランジ（１２）を備えた取付け可能ソケット（１１）が設けられ、該蒸発器又はその入口管に対する取付け具として働くことを特徴とする請求項１から請求項１２のいずれか１項に記載のアセンブリ。
【請求項１４】
前記ハウジング（２）は、前記冷媒回路の前記圧縮器及び蒸発器の結合のための貫通チャンネル（３、１４）を備えた結合ブロックとして形成されることを特徴とする請求項１から請求項１３のいずれか１項に記載のアセンブリ。
【請求項１５】
第２の出口側嵌合孔（１５）と前記入口側嵌合孔（９）の間に前記第１の貫通チャンネル（３）の代わりに存在する第２の貫通チャンネル（１４）は、前記チャンネルスリーブ（２０）の代わりに１段のチャンネル拡大肩部（１６）を収容し、それに対して前記微小チャンネル部（４）がその境界領域に配置されてそこに固定されることを特徴とする請求項１から請求項１４のいずれか１項に記載のアセンブリ。
【請求項１６】
前記入口側嵌合孔（９）に差し込まれた前記固定可能チューブ（１０）は、前記微小チャンネル部（４）の付加的な保持装置として働くことを特徴とする請求項１５に記載のアセンブリ。
【請求項１７】
前記微小チャンネル部（４）は、前記第２の貫通チャンネル（１４）内に固定して拘束されることを特徴とする請求項１５又は請求項１６に記載のアセンブリ。
【請求項１８】
前記微小チャンネル部（４）は、前記貫通チャンネル（３、１４）のサイズに応じて円筒体、円板、又は平板として形成されることを特徴とする請求項１から請求項１７のいずれか１項に記載のアセンブリ。
【請求項１９】
前記微小チャンネル部（４）は、異なるメッシュサイズ又は有孔パターン（５、５’、５’’）が形成されたメッシュ材料又は有孔材料から成ることを特徴とする請求項１から請求項１８のいずれか１項に記載のアセンブリ。
【請求項２０】
結合した材料の微小領域に、結合した減圧及び濾過特性が存在するように、前記チャンネル／メッシュサイズｗ（５、５’、５’’）は、流れの方向（１８）にテーパが付けられることを特徴とする請求項１から請求項１９のいずれか１項に記載のアセンブリ。
【請求項２１】
前記微小チャンネル部（４）には、内部構成要素として有孔材料、特に焼結金属体（２３、２８）が連続的に設けられることを特徴とする請求項１から請求項２０のいずれか１項に記載のアセンブリ。
【請求項２２】
前記微小チャンネル部（４）は、流れ断面内の自由領域として異なる微小チャンネルを備えた圧縮粒子層から成り、それによって、高圧側（圧縮器側）から始めて、より広い微小チャンネル（５’）が存在し、低圧側（蒸発器側）の方向に、より小さな空隙率の形態でより小さく設計されたそれぞれ孔又はメッシュを有する微小チャンネル（５’’）が続いていることを特徴とする請求項１から請求項２１のいずれか１項に記載のアセンブリ。
【請求項２３】
前記微小チャンネル部（４）は、充填物状構造体を備えた完全円筒形単体（２１）として形成され、それによって、入口領域（２２）に第１の焼結金属体（２３）が存在し、その間に断面区域に亘って平均して所定の流れ断面が規定され、それによって、次の中央領域（２５）に該第１の焼結金属体（２３）が存在し、その第１の断面区域（２９）は、ほぼ前記入口領域（２２）のものの流れ断面に対応し、それによって、任意的に、該中央領域（２５）と出口領域（２７）の間の次の移行区域（２６）において、該第１のより大きな粒度の金属体（２３）には、そこの該流れ断面が平均的に低減するように、第２のより小さな粒度の焼結金属体（２８）を散在させ、それによって、出口領域（２７）に、第２の断面区域（３０）に最も小さい流れ断面を平均的に形成する該第２の焼結金属体（２８）が存在することを特徴とする請求項１から請求項２２のいずれか１項に記載のアセンブリ。
【請求項２４】
前記充填物状構造体は、焼結金属体によって形成されることを特徴とする請求項１から請求項２３のいずれか１項に記載のアセンブリ。
【請求項２５】
前記微小チャンネル部（４）のチャンネルにテーパを付けた充填物状構造体は、配管内の音波を破壊し、それによって客室内部への音の伝播を減衰させることを特徴とする請求項１から請求項２４のいずれか１項に記載のアセンブリ。
【請求項２６】
回路共通に使用可能であり、かつカートリッジ状に設計されることを特徴とする請求項１から請求項２５のいずれか１項に記載のアセンブリ。
【発明の詳細な説明】
【技術分野】
【０００１】
本発明は、冷媒回路の凝縮器と蒸発器の間に配置され、かつ貫通チャンネルを備えたハウジングを含む、冷媒回路のためのアセンブリに関する。
【背景技術】
【０００２】
このアセンブリは、特に冷蔵庫、熱ポンプ、及び空調装置、好ましくは車両空調装置の冷媒回路で使用することができる。
車両空調装置の従来の冷媒回路内には、一方において、結合配管内の冷媒回路の異なる位置に、圧縮器と蒸発器の間で互いに分離されたアセンブリとして配置された少なくとも１つの汚染物質除去用フィルタと減圧弁が存在する。従って、それぞれの減圧要素の直ぐ上流には、減圧要素が異物により汚染され、及び／又は目詰まりすることになるのを防止するために、距離を置いて及び分離して局所的に、又は他方において１つのハウジング内にフィルタが配置される。
【０００３】
車両空調装置のための分離装置を備えた冷媒回路内の両方の公知のアセンブリの局所的に距離を置いた設置は、ＧＢ９３０３１７７．７公報に説明されており、それによって、缶状の分離装置に、冷媒から外部流体又は異物を除去するフィルタアセンブリが設置されている。清浄化された冷媒は、次に、分離装置から局所的に分離された減圧弁アセンブリに誘導され、それが蒸発器に誘導される前にそこで減圧される。
【０００４】
ソレノイド弁を配置した冷媒回路の１つのハウジング内の両方のアセンブリの空間的な分離に関しては、組立工程中に異物が冷媒回路内に入るのを防止するために、両方のアセンブリを収納したハウジングの上流に配置された粒子フィルタを入り口に有するＤＥ１００６２６６６Ａ１公報に説明されている。これは、粒子フィルタと弁の通路が、互いに分離されて空間的に距離を置いて配置されることを意味する。
【０００５】
２つの蒸発器を備えた冷却装置が、ＤＥ１９５４７７４４Ａ１公報に説明されており、それによって、フィルタアセンブリが配置された乾燥装置は、両方の蒸発器の上流に配置された減圧装置の上流の冷媒回路内に収納される。ソレノイド弁は、乾燥装置と両方の減圧装置の間に置かれ、蒸発器内への冷媒の流入を制御する。減圧装置及びフィルタアセンブリは、配管システムに局所的に収納され、従って互いに距離を置かれる。
【０００６】
ＥＰ１０４３５５３Ａ２公報には、カートリッジ付属の熱減圧弁を備えた冷却システム構成要素が説明されており、それによって、減圧弁は、カートリッジの形態に設計された減圧弁収納ハウジング内に置かれ、カートリッジハウジングの上方部分内及び底部空間領域には、リング状フィルタアセンブリが設置される。給送される冷媒は、最初にフィルタアセンブリを通過し、次に立て管を通り、最終的に減圧弁に誘導される。従って、ここでもまた、１つのハウジング内でフィルタと減圧弁は、空間的に分離される。
ＥＰ０２４０８１１Ａ１公報には、減圧毛細管を備えた冷房回路を制御するための装置が説明されており、それによって、入口側では、フィルタアセンブリが凝縮器の配管に結合され、出口側では、より長い毛細管が、蒸発器に向う減圧要素としてフィルタアセンブリの下流に置かれる。すなわち、フィルタアセンブリと減圧要素の空間的連続がもたらされる。
【０００７】
【特許文献１】ＧＢ９３０３１７７．７
【特許文献２】ＤＥ１００６２６６６Ａ１
【特許文献３】ＤＥ１９５４７７４４Ａ１
【特許文献４】ＥＰ１０４３５５３Ａ２
【特許文献５】ＥＰ０２４０８１１Ａ１
【発明の開示】
【発明が解決しようとする課題】
【０００８】
フィルタアセンブリ及び減圧アセンブリの上述の配置の全てにおいて、両方のアセンブリは、互いに物理的かつ機能的に分離して少なくとも互いに連続的に配置され、これが冷媒回路のコストを高くする。
本発明の目的は、より少ない組立労力で冷媒回路内に取り付けることができるように単純化されてコスト効率が良いように設計される方法で適切に設計された、冷媒回路のためのアセンブリを提供することである。
【課題を解決するための手段】
【０００９】
この問題は、請求項１の特徴によって解決される。冷媒回路の圧縮器と蒸発器の間に配置されて貫通チャンネルを備えたハウジングを含む、冷媒回路のためのアセンブリにおいて、請求項１によれば、この貫通チャンネル内に、機能的フィルタ／減圧ユニット体として設計された微小チャンネル部が設けられ、それによって微小チャンネル部では、通過する冷媒の濾過と減圧を同時に行うことができる。
従って、流れる冷媒の濾過及び減圧は、結合された機能的単体微小チャンネル部において同一レベルで行われる。
【００１０】
微小チャンネル部は、微小チャンネルに存在する自由中間領域に異物を保持する濾過特性と、微小チャンネルにテーパを付けることによる減圧特性も同様に備えている。
微小チャンネル部のある一定の減圧−濾過能力のために必要な通路容積は、微小チャンネル部の内部構成要素の大きさ、厚さ、及び寸法によって規定することができる。
微小チャンネルは、異なるチャンネルサイズｗを有しており、それによって、流れの方向に、入口領域ではより大きなチャンネルサイズｗ１を有する微小チャンネル、及び出口領域ではより小さなチャンネルサイズｗ２を有する微小チャンネルが設けられる。
【００１１】
微小チャンネル部は、貫通チャンネル内に挿入可能なねじ込み可能保持部に配置されるように互換的に設計することができる。
微小チャンネル部はまた、貫通チャンネルに固定して拘束することができる。
微小チャンネル部は、内側部分の複合体内の貫通チャンネルのサイズに応じて、円筒体、円板、又は平板として設計することができる。
微小チャンネル部は、異なるチャンネル／メッシュサイズ又は有孔パターンが形成されたメッシュ材料又は有孔材料で作ることができる。
【００１２】
チャンネル／メッシュサイズｗは、結合された減圧及び濾過特性が複合材料特性として微小チャンネルに存在するように、流れの方向にテーパを付けることができる。
微小チャンネル部は、流れ断面内の自由領域として異なる微小チャンネルを備えた圧縮粒子層で構成することができ、それによって、高圧側から始めて、より広い微小チャンネルがあり、低圧側の方向に、より小さな空隙率の形態でより小さく設計されたそれぞれ孔又はメッシュを有する微小チャンネルが続いている。
【００１３】
充填物状構造体は、焼結金属体によってもたらすことができる。
アセンブリは、有用な回路共通かつカートリッジ状に設計することができる。
本発明はまた、結合された機能的アセンブリにより、配管内に存在する又は発生した音波を破壊することを可能にし、従って、客室内への音の伝播を減衰させることができる。
本発明の更なる展開及び有利な実施形態は、更なる従属請求項に与えられている。
本発明をいくつかの図面を参照していくつかの実施形態により一層詳しく以下に説明する。
【発明を実施するための最良の形態】
【００１４】
図１には、冷媒回路のための第１のアセンブリ１が示されており、このアセンブリは、冷媒回路の圧縮器と蒸発器の間に配置され、貫通チャンネル３を備えたハウジング２を含む。
本発明によれば、アセンブリ１は、機能的フィルタ／減圧単体として設計されて貫通チャンネル３内の領域に設置された微小チャンネル部４を貫通チャンネル３に収納し、それによって、微小チャンネル部４において、通過する冷媒の濾過及び減圧を並行して同時に行うことができる。
【００１５】
一方で、濾過特性を備えた微小チャンネル部４が、微小チャンネル５、５’に存在する自由中間領域内に異物２４を保持するために設けられる。他方では、減圧特性を備えた微小チャンネル部４が、断面内に存在する全ての微小チャンネル５’、５’’を平均して縦方向にテーパを付ける（徐々に小さくする）ことにより与えられる微小チャンネルサイズ（寸法、大きさ）のテーパ付プロフィールによって設けられる。
従って、微小チャンネル部４内に存在する多くの微小チャンネル５’、５’’は、次の二重の機能を果たさなくてはならない。
−流入する冷媒の異物２４を微小チャンネル５’、５’’の壁において及び自由中間領域で保持すること、及び
−テーパを付けた微小チャンネル５’、５’’内の圧縮器の高圧側から蒸発器の低圧側の方向への冷媒の流れの速度を絞ること。
【００１６】
貫通チャンネル３は、好ましくは、入口側嵌合孔９及び第１の出口側嵌合孔７という２つの嵌合孔９及び７を備えており、それによって、入口側嵌合孔９の内径は、好ましくは、圧縮器の挿入可能チューブ１０の外径に対応している。
図１において、微小チャンネル部４は、リング状の保持部６内に挿入され、これは、第１の出口側嵌合孔７内の貫通チャンネル３のほぼ中央領域内に配置され、ネジ結合により外部から固定可能なように設計することができる。
特に、保持部６は、好ましくは、中空六角レンチにより外部から回転可能なネジとして設計することができ、好ましくは、六角凹部２０を備えており、それによって第１の出口側嵌合孔７には、保持部６をねじ込んで固定することができるネジ山８が設けられる。
ネジ込み可能な保持部６は、微小チャンネル部４を備えた互換的な保持部としてそれ自体を形成することができる。
【００１７】
第１の出口側嵌合孔７と入口側嵌合孔９の間には、貫通チャンネル３を狭めるリング状チャンネルスリーブ１９をこの装置の内側領域として置くことができ、それに対して、第１の出口側嵌合孔７の側には、微小チャンネル部４を収納した保持部６を配置して固定することができる。
チャンネルスリーブ１９の反対側は、入口側嵌合孔９の端部領域であり、それによって、差込みチューブ１０をチャンネルスリーブ１９に対して配置することができる。
これによって圧縮器のチューブ１０は、半田付け又はろう付けにより入口側嵌合孔９内に安定的に拘束することができる。
【００１８】
蒸発器をアセンブリ１に結合するためにフランジ１２を備えたソケット１１が設けられ、それによってフランジ１２は、蒸発器又はその入口管（図示せず）に対する直接取付け部として機能する。
アセンブリ１のハウジングの一実施形態では、ハウジング２は、冷媒回路の圧縮器及び蒸発器の配管システム内の管及び／又は部材を結合するための貫通チャンネル３を備えた結合ブロックとして配置することができる。
【００１９】
図２に示すような別の実施形態では、本発明による第２のアセンブリ１３には、第２の貫通チャンネル１４を設けることができ、第２の出口側嵌合孔１５と入口側嵌合孔９の間に１段のチャンネル拡大肩部１６が存在し、これに対して微小チャンネル部４を入口側嵌合孔９の側から配置して固定することができる。
この肩部１６に対する微小チャンネル部４の付加的な保持装置として、入口側嵌合孔９内に差し込まれたチューブ１０は機能することができ、同じくチャンネル壁１７及びハウジング２に対して安定的に半田付け又はろう付け可能である。
【００２０】
第１のアセンブリ１の場合と同様に、冷媒は、ここでも冷媒回路内の圧縮器の高圧側から蒸発器の低圧側まで流れの方向１８へ流れる。
これは、一般的に、微小チャンネル部４が貫通チャンネル１４内に固定して拘束されることを意味している。
貫通チャンネル１４のサイズに応じて、微小チャンネル部４は、完全円筒、円板、又は平板として形成することができる。
【００２１】
濾過−減圧能力を調節するための微小チャンネル部４の関連する流れ容積は、微小チャンネル部４の内部構成要素の大きさ、厚さ、及び寸法によって選択的に規定することができる。
微小チャンネル部４は、内部構成要素としてメッシュ材料又は有孔材料を備えることができ、これによって、内部構成要素内に異なるメッシュサイズ又は有孔パターンを達成することができる。特に、全体的結合状態にある微小チャンネル部４の領域内に結合した機能的フィルタ−減圧特性が存在するように、メッシュサイズｗは、ｗ１からｗ２まで流れの方向１８にテーパを付けることができる。
微小チャンネル部４には、内部構成要素として有孔材料、特に焼結金属体を連続的に設けることができる。
【００２２】
本発明によるアセンブリの別の実施形態では、微小チャンネル部４は、例えば、流れ断面内の自由領域として異なる微小チャンネルを有する圧縮粒子層で構成することができ、これによって、高圧側（圧縮器側）から始めて、図１に示すようにより広い微小チャンネル５’があり、低圧側（蒸発器側）の方向に、より小さな空隙率の形態でより小さく設計されたそれぞれ孔又はメッシュを有する微小チャンネル５’’が続いている。
アセンブリ１及び１３は、結合ブロックの形態を有するハウジング２を備えることができるだけでなく、回路共通に使用可能でカートリッジ状のアセンブリの形態に設計することができる。
【００２３】
図３の寸法データを備えた実施形態の別の例において、本発明による微小チャンネル部４の機能は、縦断面図（図３(ａ)）及び２つの横断面図（図３(ｂ)、図３(ｃ)）に一層詳しく説明されている。
図３において、微小チャンネル５、５’、及び５’’は、異なるチャンネル幅ｗを備えており、それによって、流れの方向１８に、入口領域により広いチャンネル幅ｗ１を有する微小チャンネル５及び５’、及び出口領域により狭いチャンネル幅ｗ２を有する微小チャンネル５’’が設けられている。
【００２４】
図３(ａ)において、微小チャンネル部４は、より詳細な縦断面図で示されており、充填物状構造体を備えた円筒形単体２１として設計される。
入口領域２２には第１の焼結金属体２３があり、これらの間には、断面区域に亘って平均した所定の流れ断面積が規定される。入口領域２２には、冷媒を汚染する粒子２４が堆積する可能性がある。
中央領域２５には、主として第１の焼結金属体２３があり、その第１の断面区域２９は、ほぼ入口領域２２の流れ断面積に対応する。
【００２５】
中央領域２５と出口領域２７の間の次の移行区域２６においては、そこの流れ断面が平均的に低減するように、第１のより大きい粒度の金属体２３の間により小さい粒度の第２の焼結金属体２８を散在させることができる。
出口領域２７には、ほとんど例外なく第２の金属体２８のみがあり、これは、図３(ｂ)に示すように、第２の断面区域３０において最も小さな流れ断面を形成する。この場合にはまた、第２のより小さい粒度の金属体２８の充填物状構造体が存在する。
これによって、入口領域２２は、図３(ｂ)及び図３(ｃ)に示すように、出口領域２７よりも広いメッシュを有するように形成される。
従って、また、第１の断面区域２９（図３(ｃ)）に亘って平均したチャンネル幅としてのメッシュサイズｗ１は、円筒体２１の第２の断面区域３０（図３(ｂ)）に亘って平均したメッシュサイズｗ２よりもかなり広い。
【００２６】
例えば、焼結金属体に対しては、充填物状構造体が典型的である。
充填物状構造体における焼結金属のような多孔性材料を使用することができ、その理由は、それが、冷媒回路内において高圧側から低圧側まで圧力を低下させ、同時に冷媒から異物２４を濾過する高い能力を有するからである。
従って、縦断面の所定の長さＬに亘って平均的に存在する５及び５’から５’’までの微小チャンネルのテーパにより、初期の濾過は別にして、冷媒の減圧も生じる。
【００２７】
図３(ｄ)には、円筒体２１の全長Ｌに亘る微小チャンネル部４内の圧力損失Δｐの推移が示されている。入口領域２２において、粒子２４の結合により、Δｐ≪１という非常に小さく僅かに増加する圧力低下が観察される。中央領域２５において、本質的に一定の元の流れ断面により、圧力損失Δｐは、大体において同一レベルのままである。移行区域２６において及び次に特に出口領域２７においてのみ、圧力損失Δｐは、望ましい冷媒減圧に従って急速に上昇する。
【００２８】
本発明によるアセンブリ１は、一例として車両空調装置に対して以下のような微小チャンネル部４の寸法データを備え、又は以下の大きさの程度とすることができる。つまり、完全円筒体の直径は、約２から２０ｍｍ、好ましくは４ｍｍ、長さは、約２から２０ｍｍ、好ましくは３ｍｍ、フィルタ等級は、１μｍから１００μｍの間、好ましくは１μｍである。
他の用途に対しては、所定の冷媒流量及び圧力差Δｐの調節を可能にするために異なる寸法が必要であろう。
【００２９】
本発明は、微小チャンネル５、５’、及び５’’を用いて示した微小チャンネル部４の単体２１内の濾過及び減圧特性の両方の組合せに加えて、第３の特性として流れに伴う雑音の低減をもたらすことができるという可能性を開くものである。チャンネルにテーパを付けた充填物状構造体は、配管内の音波を破壊することができ、それによって客室内部への音の伝播を減衰することができる。本発明のアセンブリ１又は１３は、従って、それぞれ音を低減する装置でもある。
本発明は、入口領域２２の汚染に戻るまでの保守間隔の延長も可能にし、それによってより大きな粒子を有してより広い流れ断面を有する第１の金属体を備えた入口領域２２及び中央領域２５は、異物２４による汚染によって既に２つの領域２２及び２５において生じている絞り込み効果の可能性を回避する。
本発明のアセンブリは、全ての冷媒回路に対して共通に使用可能である。
【図面の簡単な説明】
【００３０】
【図１】互換的な微小チャンネル部を有する、縦方向断面で示した冷媒回路のための本発明による第１のアセンブリの概略図である。
【図２】固定設置された微小チャンネル部を有する、縦方向断面で示した冷媒回路のための本発明による第２のアセンブリの概略図である。
【図３】異なる設計上の大きさの内側部分を備えた微小チャンネル部を通る拡大縦断面図（図３(a)）であり、異なる設計上の大きさの内側部分を備えた微小チャンネル部を通る拡大横断面図（図３(ｂ)）であり、異なる設計上の大きさの内側部分を備えた微小チャンネル部を通る拡大横断面図（図３(ｃ)）であり、冷媒の流れ方向の微小チャンネル部の長さＬに亘る圧力損失Δｐの概略図（図３(ｄ)）である。
【符号の説明】
【００３１】
１  第１のアセンブリ
２  ハウジング
３  貫通チャンネル
４  微小チャンネル部
５  微小チャンネル
５’  より広い微小チャンネル
５’’  より狭い微小チャンネル
６  保持部
７  第１の出口側嵌合孔
８  ネジ山
９  入口側嵌合孔
１０  チューブ
１１  ソケット
１２  フランジ
１３  第２のアセンブリ
１４  第２の貫通チャンネル
１５  第２の出口側嵌合孔
１６  肩部
１７  第３の嵌合孔の内壁
１８  冷媒の流れの方向
１９  チャンネルスリーブ
２０  六角凹部
２１  円筒体
２２  入口領域
２３  第１の金属体
２４  粒子
２５  中央領域
２６  移行区域
２７  出口領域
２８  第２の金属体
２９  第１の断面区域
３０  第２の断面区域
Ｌ  微小チャンネル部の長さ
Δｐ  微小チャンネル部内の圧力低下
ｗ  チャンネル／メッシュサイズ
ｗ１  大きなメッシュサイズ
ｗ２  小さなメッシュサイズ
【図１】
2006125833.tif 000003
【図２】
2006125833.tif 000004
【図３】
2006125833.tif 000005